(57)【要約】【課題】所望のねじ溝形状と表面粗さを確保すると共に、加工時間が短く低コストなボールねじおよびそのねじ溝加工方法を提供する。【解決手段】軸循環タイプのボールねじ１におけるねじ軸３のねじ溝加工方法において、生材からなるねじ軸３にねじ溝３ａを旋削する工程と、この旋削したねじ軸３を焼入れする工程とを含み、旋削工程で、ノーズ半径Ｒ２がねじ溝３ａの溝曲率半径Ｒ１よりも小さなエンドミル１１を用い、このエンドミル１１をねじ溝３ａの有効長さ分だけ複数回移動させて、各回の移動経路をねじ溝３ａの断面形状の円弧方向に順次ずらせることにより、ねじ溝３ａの全体が旋削されているので、所定のねじ溝形状と表面粗さを確保することができると共に、１工程のポイント切削によってねじ溝３ａの成形加工を完了させることができ、従来の熱処理後の研削加工あるいは旋削加工を廃止することができる。【選択図】図６
2008238384.tif 000002
【特許請求の範囲】
【請求項１】
内周に螺旋状のねじ溝が形成された円筒状のナットと、
このナットに内挿され、外周に前記ねじ溝のリード角と同一のリード角からなる複数のねじ溝が形成されたねじ軸と、
前記両ねじ溝間に転動自在に収容された多数のボールとを備え、
前記ねじ軸の軸方向で隣り合うねじ溝の間に存在するランド部に、当該複数のねじ溝を個別に閉ループとするボール循環溝が設けられ、これらのボール循環溝が、前記ねじ溝の下流のボールを内径側へ沈み込ませ、前記ナットのランド部を乗り越えさせて上流側へ戻すように略Ｓ字状に形成された軸循環タイプのボールねじにおいて、
前記ねじ軸のねじ溝とボール循環溝が切削加工によって所定の仕上げ形状に形成されていることを特徴とするボールねじ。
【請求項２】
内周に螺旋状のねじ溝が形成された円筒状のナットと、
このナットに内挿され、外周に前記ねじ溝のリード角と同一のリード角からなる複数のねじ溝が形成されたねじ軸と、
前記両ねじ溝間に転動自在に収容された多数のボールとを備え、
前記ねじ軸の軸方向で隣り合うねじ溝の間に存在するランド部に、当該複数のねじ溝を個別に閉ループとするボール循環溝が設けられ、これらのボール循環溝が、前記ねじ溝の下流のボールを内径側へ沈み込ませ、前記ナットのランド部を乗り越えさせて上流側へ戻すように略Ｓ字状に形成された軸循環タイプのボールねじにおける、前記ねじ軸のねじ溝加工方法において、
生材からなるワークにねじ溝を旋削する工程と、この旋削したワークを焼入れする工程とを含み、前記旋削工程で、ノーズ半径が前記ねじ溝の溝曲率半径よりも小さなエンドミルを用い、このエンドミルを前記ねじ溝の有効長さ分だけ複数回移動させて、各回の移動経路を当該ねじ溝の断面形状の円弧方向に順次ずらせることにより、前記ねじ溝の全体が旋削されていることを特徴とするボールねじのねじ溝加工方法。
【請求項３】
前記ノーズ半径が前記ねじ溝の溝曲率半径に近付けて設定されている請求項２に記載のボールねじのねじ溝加工方法。
【請求項４】
前記エンドミルが、径方向に進退自在に、かつ軸方向に移動自在に支持され、ＮＣ制御により位置決めされると共に、前記ねじ軸が所定の方向に同期回転された状態で、当該エンドミルの軌跡を複数重ねることにより前記ねじ溝が成形加工される請求項２または３に記載のボールねじのねじ溝加工方法。
【請求項５】
前記焼入工程の後に、少なくとも前記ねじ溝にショットピーニングによる仕上げ加工が施されている請求項２乃至４いずれかに記載のボールねじのねじ溝加工方法。
【発明の詳細な説明】
【技術分野】
【０００１】
本発明は、自動車等のアクチュエータに用いられ、多数のボールが転動する螺旋状のねじ溝が形成されたボールねじ、詳しくは、ボールをねじ軸の内径側に沈み込ませて下流側から上流側へ戻すボール循環溝で接続された、所謂軸循環タイプのボールねじおよびそのねじ溝加工方法に関するものである。
【背景技術】
【０００２】
ボールねじは、外周に螺旋状のねじ溝が形成されたボールねじ軸と、円筒面内に螺旋状のねじ溝が形成されたボールねじナットと、対向する両ねじ溝で構成されたボール転動路内に転動自在に収容された多数のボールとからなり、ボールねじ軸あるいはボールねじナットの回転を軸方向の並進運動に変換する機械要素である。
【０００３】
従来、ボールねじでは、ねじ軸とナットとの伸縮動作に関係なく、それらの各ねじ溝内に収容される多数のボールの抜け出しを防止するために、ねじ軸のねじ溝とナットのねじ溝とで構成されるボール転動路の両端を連通連結させて閉ループとし、ボールをこの閉ループ内で無限循環させている。
【０００４】
このようなボールねじには、一般的に、ボールの循環機構が異なる、例えば、リターンチューブやエンドプレート等、種々の形式のものがあり、その一つに駒式と呼ばれるものがある。この駒式ボールねじは、ねじ溝の連結路を有し、転動路を周回経路とする循環用の駒部材がナットに装着されているもので、構成が比較的簡素で、かつコンパクトに構成できる利点がある。
【０００５】
然しながら、この駒式のボールねじでは、ナットとは別部材でなる駒部材を用いる必要があると共に、駒部材を装着するための駒窓をナットに穿設するする必要があるために、コストが嵩む結果になっている。また、駒部材に形成された連結溝とナットのねじ溝との繋ぎ部を高精度に位置合わせするために、各部品の加工精度を高めなければならないと共に、極めて面倒で手間の掛かる位置決め作業が必要になり、さらにコストが嵩む他、位置ズレによる品質低下を招く要因となっている。このような問題を解決したボールねじとして、ボールをねじ軸の内径側に沈み込ませて下流側から上流側へ戻すボール循環溝で接続された軸循環タイプのボールねじが知られている。
【０００６】
このボールねじ５１は、図７に示すように、ナット５２と、このナット５２に内挿されたねじ軸５３と、複数のボール５４と、これらのボール５４を周方向等配に配置させると共に、ねじ軸５３に対して軸方向にほぼ不動に位置決めされた状態で、かつ相対回転可能な状態で取り付けられた保持器リング（図示せず）とを備え、ナット５２とねじ軸５３との対向面間でボール５４を循環させるようにしている。
【０００７】
ナット５２には、一端から他端まで連続する１本のねじ溝５２ａが形成されている。一方、ねじ軸５３には、軸方向途中領域に連続していない略２巻きのねじ溝５３ａ、５３ｂが形成されている。これらナット５２のねじ溝５２ａとねじ軸５３のねじ溝５３ａ、５３ｂとは、互いに同じリード角に設定されている。
【０００８】
ここで、ねじ軸５３の軸方向で隣り合う２巻きのねじ溝５３ａ、５３ｂの間に存在するねじ山（ランド部）５５には、２巻きのねじ溝５３ａ、５３ｂを個別に閉ループとするボール循環溝５６、５７が設けられている。このボール循環溝５６、５７は、２巻きのねじ溝５３ａ、５３ｂの上流側と下流側とを個別に連通連結するものであり、ねじ溝５３ａ、５３ｂの下流のボール５４を内径側へ沈み込ませてナット５２のねじ山（ランド部）５８を乗り越えさせて上流側へ戻すように蛇行した形状に形成されている。
【０００９】
ここでは、ナット５２を軸方向に往復移動させることにより、ナット５２とねじ軸５３とが軸方向で重合する範囲が大小変化するが、ねじ軸５３において、ボール循環溝５６、５７により個別に閉ループとされたねじ軸５３の２巻きのねじ溝５３ａ、５３ｂ内でそれぞれボール５４が保持器リングでガイドされながら転動循環することにより、ナット５２が所定の螺旋運動が円滑にガイドされると共に、ナット５２が所定の移動ストローク範囲を往復移動する過程において、ボール５４が抜け出す現象を確実に防止することができる。これにより、駒式のボールねじに伴う連結溝とねじ溝との位置合わせが不要となるため、低コスト化が可能となると共に、位置ズレ等による品質低下を回避できる（例えば、特許文献１参照。）。
【００１０】
こうしたボールねじ５１では、ねじ溝５３ａ、５３ｂをねじ軸５３に複数本設ける場合、ねじ溝５３ａ、５３ｂをそれぞれ研削加工するのは手間であった。そのため、図８に示すように、砥石５９、６０が取り付けられた回転軸６１をねじ溝５３ａ、５３ｂのリード角θ分だけ軸方向Ｄに対して傾斜させて、砥石５９、６０をそれぞれねじ溝５３ａ、５３ｂに当てて研削加工することにより、複数本のねじ溝５３ａ、５３ｂを同時に研削加工することが可能となり、ねじ溝５３ａ、５３ｂを一つずつ研削加工する場合に比べて製造工程が簡素になり、ねじ軸５３の製造コストを低減するができる（例えば、特許文献２参照。）。
【特許文献１】特開２００３−７４６６５号公報
【特許文献２】特開２００４−２４９３７３号公報
【発明の開示】
【発明が解決しようとする課題】
【００１１】
然しながら、こうした従来の加工方法によると、研削工程は加工の度に砥石５９、６０を成形して形状を管理する必要があると共に、研削加工にはねじ研削盤および砥石５９、６０を成形するためのドレス等の付帯設備が必要となるため、さらなる加工コストの低減を図るには限界があった。
【００１２】
本発明は、こうした従来の問題に鑑みてなされたもので、所望のねじ溝形状と表面粗さを確保すると共に、加工時間が短く低コストなボールねじおよびそのねじ溝加工方法を提供することを目的とする。
【課題を解決するための手段】
【００１３】
係る目的を達成すべく、本発明のうち請求項１に記載の発明は、内周に螺旋状のねじ溝が形成された円筒状のナットと、このナットに内挿され、外周に前記ねじ溝のリード角と同一のリード角からなる複数のねじ溝が形成されたねじ軸と、前記両ねじ溝間に転動自在に収容された多数のボールとを備え、前記ねじ軸の軸方向で隣り合うねじ溝の間に存在するランド部に、当該複数のねじ溝を個別に閉ループとするボール循環溝が設けられ、このボール循環溝が、前記ねじ溝の下流のボールを内径側へ沈み込ませ、前記ナットのランド部を乗り越えさせて上流側へ戻すように略Ｓ字状に形成された軸循環タイプのボールねじにおいて、前記ねじ軸のねじ溝とボール循環溝が切削加工によって所定の仕上げ形状に形成されている。
【００１４】
このように、軸循環タイプのボールねじにおいて、ねじ軸のねじ溝とボール循環溝が切削加工によって所定の仕上げ形状に形成されているので、所望のねじ溝形状と表面粗さを確保すると共に、加工時間が短く低コストなボールねじを提供することができる。
【００１５】
また、本発明のうち請求項２に記載の方法発明は、内周に螺旋状のねじ溝が形成された円筒状のナットと、このナットに内挿され、外周に前記ねじ溝のリード角と同一のリード角からなる複数のねじ溝が形成されたねじ軸と、前記両ねじ溝間に転動自在に収容された多数のボールとを備え、前記ねじ軸の軸方向で隣り合うねじ溝の間に存在するランド部に、当該複数のねじ溝を個別に閉ループとするボール循環溝が設けられ、これらのボール循環溝が、前記ねじ溝の下流のボールを内径側へ沈み込ませ、前記ナットのランド部を乗り越えさせて上流側へ戻すように略Ｓ字状に形成された軸循環タイプのボールねじにおける、前記ねじ軸のねじ溝加工方法において、生材からなるワークにねじ溝を旋削する工程と、この旋削したワークを焼入れする工程とを含み、前記旋削工程で、ノーズ半径が前記ねじ溝の溝曲率半径よりも小さなエンドミルを用い、このエンドミルを前記ねじ溝の有効長さ分だけ複数回移動させて、各回の移動経路を当該ねじ溝の断面形状の円弧方向に順次ずらせることにより、前記ねじ溝の全体が旋削されている。
【００１６】
このように、軸循環タイプのボールねじにおけるねじ軸のねじ溝加工方法において、生材からなるワークにねじ溝を旋削する工程と、この旋削したワークを焼入れする工程とを含み、旋削工程で、ノーズ半径がねじ溝の溝曲率半径よりも小さなエンドミルを用い、このエンドミルをねじ溝の有効長さ分だけ複数回移動させて、各回の移動経路を当該ねじ溝の断面形状の円弧方向に順次ずらせることにより、ねじ溝の全体が旋削されているので、所定のねじ溝形状と表面粗さを確保することができると共に、１工程のポイント切削によってねじ溝の成形加工を完了させることができ、従来の熱処理後の研削加工あるいは旋削加工を廃止することができる。
【００１７】
また、請求項３に記載の発明のように、前記ノーズ半径が前記ねじ溝の溝曲率半径に近付けて設定されていれば、ねじ溝のポイント切削が開始されるまでの加工時間を短縮することができ、一層加工コストを低減することができる。
【００１８】
また、請求項４に記載の発明のように、前記エンドミルが、径方向に進退自在に、かつ軸方向に移動自在に支持され、ＮＣ制御により位置決めされると共に、前記ねじ軸が所定の方向に同期回転された状態で、当該エンドミルの軌跡を複数重ねることにより前記ねじ溝が成形加工されれば、所定のねじ溝を精度良く仕上げることができる。
【００１９】
また、請求項５に記載の発明のように、前記焼入工程の後に、少なくとも前記ねじ溝にショットピーニングによる仕上げ加工が施されていれば、ねじ溝に付着したスケールや表層の粒界酸化層を除去することができ、ボールねじの耐久性を向上させることができる。
【発明の効果】
【００２０】
本発明に係るボールねじは、内周に螺旋状のねじ溝が形成された円筒状のナットと、このナットに内挿され、外周に前記ねじ溝のリード角と同一のリード角からなる複数のねじ溝が形成されたねじ軸と、前記両ねじ溝間に転動自在に収容された多数のボールとを備え、前記ねじ軸の軸方向で隣り合うねじ溝の間に存在するランド部に、当該複数のねじ溝を個別に閉ループとするボール循環溝が設けられ、これらのボール循環溝が、前記ねじ溝の下流のボールを内径側へ沈み込ませ、前記ナットのランド部を乗り越えさせて上流側へ戻すように略Ｓ字状に形成された軸循環タイプのボールねじにおいて、前記ねじ軸のねじ溝とボール循環溝が切削加工によって所定の仕上げ形状に形成されているので、所望のねじ溝形状と表面粗さを確保すると共に、加工時間が短く低コストなボールねじを提供することができる。
【００２１】
また、本発明に係るボールねじのねじ溝加工方法は、内周に螺旋状のねじ溝が形成された円筒状のナットと、このナットに内挿され、外周に前記ねじ溝のリード角と同一のリード角からなる複数のねじ溝が形成されたねじ軸と、前記両ねじ溝間に転動自在に収容された多数のボールとを備え、前記ねじ軸の軸方向で隣り合うねじ溝の間に存在するランド部に、当該複数のねじ溝を個別に閉ループとするボール循環溝が設けられ、これらのボール循環溝が、前記ねじ溝の下流のボールを内径側へ沈み込ませ、前記ナットのランド部を乗り越えさせて上流側へ戻すように略Ｓ字状に形成された軸循環タイプのボールねじにおける、前記ねじ軸のねじ溝加工方法において、生材からなるワークにねじ溝を旋削する工程と、この旋削したワークを焼入れする工程とを含み、前記旋削工程で、ノーズ半径が前記ねじ溝の溝曲率半径よりも小さなエンドミルを用い、このエンドミルを前記ねじ溝の有効長さ分だけ複数回移動させて、各回の移動経路を当該ねじ溝の断面形状の円弧方向に順次ずらせることにより、前記ねじ溝の全体が旋削されているので、所望のねじ溝形状と表面粗さを確保することができると共に、１工程のポイント切削によってねじ溝の成形加工を完了させることができ、従来の熱処理後の研削加工あるいは旋削加工を廃止することができる。
【発明を実施するための最良の形態】
【００２２】
内周に螺旋状のねじ溝が形成された円筒状のナットと、このナットに内挿され、外周に前記ねじ溝のリード角と同一のリード角からなる複数のねじ溝が形成されたねじ軸と、前記両ねじ溝間に転動自在に収容された多数のボールとを備え、前記ねじ軸の軸方向で隣り合うねじ溝の間に存在するランド部に、当該複数のねじ溝を個別に閉ループとするボール循環溝が設けられ、これらのボール循環溝が、前記ねじ溝の下流のボールを内径側へ沈み込ませ、前記ナットのランド部を乗り越えさせて上流側へ戻すように蛇行した略Ｓ字状に形成されている軸循環タイプのボールねじにおける、前記ねじ軸のねじ溝加工方法において、生材からなるワークにねじ溝を旋削する工程と、この旋削したワークを焼入れする工程とを含み、前記旋削工程で、ノーズ半径が前記ねじ溝の溝曲率半径よりも小さなエンドミルを用い、このエンドミルを前記ねじ溝の有効長さ分だけ複数回移動させて、各回の移動経路を前記ねじ溝の断面形状の円弧方向に順次ずらせ、当該エンドミルの軌跡を複数重ねることにより前記ねじ溝の全体が旋削加工される。
【実施例】
【００２３】
以下、本発明の実施の形態を図面に基いて詳細に説明する。
図１は、本発明に係るボールねじの一実施形態を示す概念図、図２は、図１のボール循環路を示す横断面図、図３（ａ）は、ねじ軸を示す側面図、（ｂ）は、同上斜視図、図４は、ねじ軸におけるねじ溝の加工状態を示す説明図、図５（ａ）は、ねじ軸におけるサーキュラアーク形状からなるねじ溝の拡大断面図、（ｂ）は、同上ねじ溝の加工工程を示す拡大断面図、図６（ａ）は、ねじ軸におけるゴシックアーク形状からなるねじ溝の拡大断面図、（ｂ）〜（ｄ）は、同上ねじ溝の加工工程を示す拡大断面図である。
【００２４】
このボールねじ１は、図１および図２に示すように、円筒状のナット２と、このナット５２に内挿されたねじ軸３と、このねじ軸３とナット２間に収容された多数のボール４と、これらのボール４を周方向等配に保持する保持器リング５とを備えている。保持器リング５は、ねじ軸３に対して軸方向にほぼ不動に位置決めされた状態で、かつ相対回転可能な状態で取り付けられている。
【００２５】
ナット２はＳＣＭ４１５やＳＣＭ４２０等の肌焼き鋼からなり、その内周に螺旋状のねじ溝２ａが形成されている。一方、ねじ軸３はＳ５５Ｃ等の中炭素鋼やＳＣＭ４１５等の肌焼き鋼からなり、外周に軸方向途中領域に連続していない複数（ここでは２巻き）のねじ溝３ａ、３ｂが形成されている。これらナット２のねじ溝２ａとねじ軸３のねじ溝３ａ、３ｂとは、互いに同じリード角θに設定されている。なお、ねじ溝２ａ、３ａ、３ｂは、断面がボール４の半径よりも僅かに大きい曲率半径からなる２つの円弧を組み合わせたゴシックアーク形状に形成されている。無論、ねじ溝２ａ、３ａ、３ｂは、このゴシックアーク形状以外にも、ボール４の半径よりも僅かに大きい曲率半径からなり、ボール４とアンギュラコンタクトするサーキュラアーク形状であっても良い。
【００２６】
ここで、本実施形態では、複数のねじ溝３ａ、３ｂが閉ループとされ、複数のねじ溝３ａ、３ｂ内にそれぞれ収容されるボール４が独立して無限循環するように構成されている。すなわち、図３に示すように、ねじ軸３の軸方向で隣り合うねじ溝３ａ、３ｂの間に存在するランド部６に、複数のねじ溝３ａ、３ｂを個別に閉ループとするボール循環溝７、８が設けられている。
【００２７】
このボール循環溝７、８は、ねじ溝３ａ、３ｂの上流側と下流側とを個別に連通連結するものであり、ねじ溝３ａ、３ｂの下流のボール４を内径側へ沈み込ませ、ナット２のランド部９を乗り越えさせて上流側へ戻すように蛇行した略Ｓ字状に形成されている。したがって、ボール循環溝７、８の深さは、ボール４がボール循環溝７、８内でナット２におけるねじ溝２ａのランド部９を乗り越えることができる深さとされている（図２参照）。
【００２８】
図４は、ねじ軸３におけるねじ溝３ａ、３ｂの加工状態を示している。生材の棒状ワークＷ（３）が旋盤の主軸チャック１０で把持され、所定の方向に同期回転された状態でエンドミル１１によって旋削加工される。このエンドミル１１は、径方向に進退自在に、かつ軸方向に移動自在に支持され、ＮＣ制御により位置が決められている。ねじ溝３ａ、３ｂの旋削加工は、所謂ポイント切削で行われる。すなわち、ねじ溝３ａ（３ｂ）が、図６（ａ）に示すようなゴシックアーク形状の場合、エンドミル１１のノーズ半径Ｒ２が、ねじ溝３ａの溝曲率半径Ｒ１よりも小さなエンドミル１１を用い、（ｂ）〜（ｄ）に示すように、このエンドミル１１をねじ溝３ａの有効長さ分だけ複数回移動させ、エンドミル１１の軌跡を複数重ねることにより所定形状のねじ溝３ａの成形が行われる。
【００２９】
ここで、エンドミル１１のノーズ半径Ｒ２をねじ溝３ａの溝曲率半径Ｒ１に近付けて寸法設定することにより、エンドミル１１を軸方向に移動させることなくねじ溝３ａの概略形状が得られ、加工時間を短縮することができる。なお、ねじ溝３ａ（３ｂ）が、図５（ａ）に示すようなサーキュラアーク形状の場合、エンドミル１１のノーズ半径Ｒ４が、ねじ溝３ａの溝曲率半径Ｒ３と同一のエンドミル１１を用い、（ｂ）に示すように、このエンドミル１１を半径方向に送り込むことにより所定形状のねじ溝３ａの成形を行うようにしても良い。
【００３０】
また、本実施例では、ポイント切削によって複数のねじ溝３ａ、３ｂの成形加工を完了させた後、熱処理によってその表面に５５〜６２ＨＲＣの範囲の硬化層が形成されている。熱処理は、浸炭焼入れでも高周波誘導加熱による焼入れでも良いが、表層に粒界酸化層が抑制でき、また、局部加熱ができて硬化層深さの設定が比較的容易にできる高周波焼入れが好適である。
【００３１】
さらに、熱処理によりねじ溝３ａ、３ｂ等に付着したスケールや表層の粒界酸化層を除去するためにショットピーニングによる仕上げ加工（図示せず）が行われている。このショットピーニングは、スチールビーズの粒径を２０〜１００μｍ、噴射時間は約９０秒、噴射圧は１〜３ｋｇ／ｃｍ２、噴射ノズルとワークの表面までの距離は略１４０ｍｍとした。これにより、ボールねじ１の耐久性を向上させることができる。
【００３２】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３３】
本発明に係るボールねじは、自動車等のアクチュエータに用いられるボールねじに適用できる。
【図面の簡単な説明】
【００３４】
【図１】本発明に係るボールねじの一実施形態を示す概念図である。
【図２】図１のボール循環路を示す横断面図である。
【図３】（ａ）は、ねじ軸を示す側面図である。  （ｂ）は、同上斜視図である。
【図４】ねじ軸におけるねじ溝の加工状態を示す説明図である。
【図５】（ａ）は、ねじ軸におけるサーキュラアーク形状からなるねじ溝の拡大断面図である。  （ｂ）は、同上ねじ溝の加工工程を示す拡大断面図である。
【図６】（ａ）は、ねじ軸におけるゴシックアーク形状からなるねじ溝の拡大断面図である。  （ｂ）〜（ｄ）は、同上ねじ溝の加工工程を示す拡大断面図である。
【図７】従来のボールねじのボール循環経路を模式的に示す側面図である。
【図８】同上、ねじ溝の研削加工の初期設定状態を示す側面図である。
【符号の説明】
【００３５】
１・・・・・・・・・・・ボールねじ
２・・・・・・・・・・・ナット
２ａ、３ａ・・・・・・・ねじ溝
３・・・・・・・・・・・ねじ軸
４・・・・・・・・・・・ボール
５・・・・・・・・・・・保持器リング
６、９・・・・・・・・・ランド部
７、８・・・・・・・・・ボール循環溝
１０・・・・・・・・・・主軸チャック
１１・・・・・・・・・・エンドミル
５１・・・・・・・・・・ボールねじ
５２・・・・・・・・・・ナット
５２ａ、５３ａ、５３ｂ・ねじ溝
５３・・・・・・・・・・ねじ軸
５４・・・・・・・・・・ボール
５５、５８・・・・・・・ねじ山
５６、５７・・・・・・・ボール循環溝
５９、６０・・・・・・・砥石
６１・・・・・・・・・・回転軸
Ｒ１、Ｒ３・・・・・・・ねじ溝の曲率半径
Ｒ２、Ｒ４・・・・・・・エンドミルのノーズ半径
θ・・・・・・・・・・・リード角
【図１】
2008238384.tif 000003
【図２】
2008238384.tif 000004
【図３】
2008238384.tif 000005
【図４】
2008238384.tif 000006
【図５】
2008238384.tif 000007
【図６】
2008238384.tif 000008
【図７】
2008238384.tif 000009
【図８】
2008238384.tif 000010